(57)【要約】【課題】消火剤を放出するための消火器のレバーの操作が硬く感じることを防止することができる消火器操作具を提供することを目的とする。【解決手段】消火器３のレバー１７に係合するレバー係合部５と、人の足２３が発する力が付与される力付与部７と、力付与部７に付与された力をレバー係合部５に伝達する力伝達部９とを有する消火器操作具１である。【選択図】図１
2020018352.tif 000002
【特許請求の範囲】
【請求項１】
消火器のレバーに係合するレバー係合部と、
人の足が発する力が付与される力付与部と、
前記力付与部に付与された力を前記レバー係合部に伝達する力伝達部と、
を有することを特徴とする消火器操作具。
【請求項２】
請求項１に記載の消火器操作具において、
前記消火器に対して着脱自在に構成されていることを特徴とする消火器操作具。
【請求項３】
請求項１または請求項２に記載の消火器操作具において、
前記消火器のレバーは、上側レバーと下側レバーとで構成されており、
前記レバー係合部は、前記上側レバーに係合するように構成されており、
前記力伝達部は、前記下側レバーでガイドされるように構成されていることを特徴とする消火器操作具。
【請求項４】
請求項１〜請求項３のいずれか１項に記載の消火器操作具において、
前記力付与部は、たたみ込み自在に構成されていることを特徴とする消火器操作具。
【請求項５】
請求項４に記載の消火器操作具において、
常態では、前記力付与部がたたみ込まれており、前記消火器の安全栓が抜かれることで、前記力付与部が展開するように構成されていることを特徴とする消火器操作具。
【請求項６】
請求項１または請求項２に記載の消火器操作具は、前記消火器が設置される消火器設置台で構成されており、
前記力付与部は、前記消火器が載置される消火器載置台で構成されており、
前記力伝達部は、前記消火器載置台から上側に延出している支柱で構成されており、
前記レバー係合部は、前記支柱の中間部で前記支柱に設けられ前記支柱から横方向に突出している突出部で構成されており、
前記支柱の上端部には、前記消火器の存在を示す表示部が設けられていることを特徴とする消火器操作具。
【請求項７】
請求項１〜請求項５のいずれか１項に記載の消火器操作具が、前記消火器に設置されている状態でも、前記消火器のレバーの操作が可能なように構成されていることを特徴とする消火器操作具。
【請求項８】
請求項１〜請求項５、請求項７のいずれか１項に記載の消火器操作具が設置される消火器であって、
前記レバーに前記レバー係合部を係合させるための貫通孔が設けられていることを特徴とする消火器。
【請求項９】
消火器のレバーに係合するレバー係合部と、
人の手が発する力が付与される力付与部と、
消火剤を放出するときの前記レバーの操作力を軽減するために、前記力付与部で付与された力を増幅して、前記レバー係合部に伝達する力伝達部と、
を有することを特徴とする消火器操作具。
【発明の詳細な説明】
【技術分野】
【０００１】
本発明は、消火器操作具および消火器に関する。
【背景技術】
【０００２】
従来の消火器での消火剤の放射（放出）は、まず、消火剤の誤放射やいたずらによる放射を防止する目的で設けられている安全ピンを取り外し、片手でホース持ち火元に向ける。
【０００３】
続いて、もう一方の手でレバーを握り、消火器内部に収容されている粉末薬剤あるいは不活性ガス、泡消火薬剤を火点に向けて放射する。
【０００４】
なお、従来の消火器に係る文献としてたとえば特許文献１を掲げる。
【先行技術文献】
【特許文献】
【０００５】
【特許文献１】特開２０１６−１６３６２１号公報
【発明の概要】
【発明が解決しようとする課題】
【０００６】
ところで、防災意識が高くなったことにより消火器の使用方法は周知されているが、実際に使用した経験がある人は少ない。また、消火器で消火剤を放出させるためには、レバーで弁体を下側に移動させる必要があるので、消火器を扱うとレバーが予想以上に硬いと感じる人が多い。
【０００７】
本発明は、上記問題点に鑑みてなされたものであり、消火剤を放出するための消火器のレバーの操作が硬く感じることを防止することができる消火器操作具および消火器を提供することを目的とする。
【課題を解決するための手段】
【０００８】
第１の発明は、消火器のレバーに係合するレバー係合部と、人の足が発する力が付与される力付与部と、前記力付与部に付与された力を前記レバー係合部に伝達する力伝達部と  を有する消火器操作具である。
【０００９】
第２の発明は、第１の発明に係る記載の消火器操作具において、前記消火器に対して着脱自在に構成されている消火器操作具である。
【００１０】
第３の発明は、第１または第２の発明に係る消火器操作具において、前記消火器のレバーは、上側レバーと下側レバーとで構成されており、前記レバー係合部は、前記上側レバーに係合するように構成されており、前記力伝達部は、前記下側レバーでガイドされるように構成されている消火器操作具である。
【００１１】
第４の発明は、第１〜第３のいずれか１の発明に係る消火器操作具において、前記力付与部は、たたみ込み自在に構成されている消火器操作具である。
【００１２】
第５の発明は、第４の発明に係る記載の消火器操作具において、常態では、前記力付与部がたたみ込まれており、前記消火器の安全栓が抜かれることで、前記力付与部が展開するように構成されている消火器操作具である。
【００１３】
第６の発明は、第１または第２の発明に係る消火器操作具において、前記消火器操作具は、前記消火器が設置される消火器設置台で構成されており、前記力付与部は、前記消火器が載置される消火器載置台で構成されており、前記力伝達部は、前記消火器載置台から上側に延出している支柱で構成されており、前記レバー係合部は、前記支柱の中間部で前記支柱に設けられ前記支柱から横方向に突出している突出部で構成されており、前記支柱の上端部には、前記消火器の存在を示す表示部が設けられている消火器操作具である。
【００１４】
第７の発明は、第１〜第５のいずれか１の発明に係る消火器操作具において、前記消火器に設置されている状態でも、前記消火器のレバーの操作が可能なように構成されている消火器操作具である。
【００１５】
第８の発明は、第１〜第５、第７のいずれか１の発明に係る消火器操作具が設置される消火器であって、前記レバーに前記レバー係合部を係合させるための貫通孔が設けられている消火器である。
【００１６】
第９の発明は、消火器のレバーに係合するレバー係合部と、人の手が発する力が付与される力付与部と、消火剤を放出するときの前記レバーの操作力を軽減するために、前記力付与部で付与された力を増幅して、前記レバー係合部に伝達する力伝達部とを有する消火器操作具である。
【発明の効果】
【００１７】
本発明によれば、消火剤を放出するための消火器のレバーの操作が硬く感じることを防止することができるという効果を奏する。
【図面の簡単な説明】
【００１８】
【図１】本発明の実施形態に係る消火器操作具（ペダルが展開されている消火器操作具）が設置された消火器を示す図であって、（ｂ）は正面図であり、（ａ）は平面図である。
【図２】本発明の実施形態に係る消火器操作具（ペダルがたたみ込まれている消火器操作具）が設置された消火器を示す図であって、（ｂ）は正面図であり、（ａ）は平面図である。
【図３】本発明の実施形態に係る消火器操作具が設置される消火器を示す図であって、（ｂ）は正面図であり、（ａ）は平面図である。
【図４】（ａ）は図３（ａ）におけＩＶＡ部の拡大図であり、（ｂ）は図３（ｂ）におけＩＶＢ部の拡大図である。
【図５】本発明の実施形態に係る消火器操作具示す図であって、（ｂ）は正面図であり、（ａ）は平面図であり、（ｃ）は（ｂ）におけるＶＣ部の拡大図である。
【図６】本発明の実施形態に係る消火器操作具が設置された消火器でレバーの操作がされ消火剤が放出される状態を示す図である。
【図７】１つ目の変形例に係る消火器操作具が設置された消火器を示す図であって、（ｂ）は正面図であり、（ａ）は平面図であり、（ｃ）は側面図である。
【図８】２つ目の変形例に係る消火器操作具を示す図であって、（ａ）は正面図であり、（ｂ）は側面図である。
【図９】３つ目の変形例に係る消火器操作具（消火器が設置されている消火器操作具）を示す図であって、（ａ）は正面図であり、（ｂ）は側面図である。
【図１０】３つ目の変形例に係る消火器操作具が設置された消火器を示す図である。
【図１１】（ａ）は、本発明の実施形態に係る消火器操作具（消火器操作具の力伝達部をガイドするガイド体を備えている）が設置された消火器の正面図であり、（ｂ）は、ガイド体の平面図であって、ガイド体が閉じた状態を示しており、（ｃ）は、ガイド体の平面図であって、ガイド体が開いた状態を示している。
【図１２】４つ目の変形例に係る消火器操作具が設置されている消火器を示す正面図である。
【図１３】５つ目の変形例に係る消火器操作具が設置されている消火器を示す正面図である。
【図１４】６つ目の変形例に係る消火器操作具が設置されている消火器を示す正面図である。
【発明を実施するための形態】
【００１９】
本発明の実施形態に係る消火器操作具１は、図１等で示すように、消火器３に設置されて使用されるものであり、レバー係合部５と力付与部（ペダル）７と力伝達部９とを備えて構成されている。
【００２０】
消火器３は、初期の火災を消すための可搬式または半固定式の消防用設備であり、内部に消火剤が充填されている容器本体１１と、容器本体１１から延出し先端部から消火剤１３（図６参照）を放出（放射）するホース１５と、レバー１７と、安全栓（安全ピン）１９とを備えて構成されている。
【００２１】
レバー１７は、上側レバー１７Ａと下側レバー１７Ｂとで構成されている。正面視において、上側レバー１７Ａと下側レバー１７Ｂとは、常態（消火器３から未だ消火剤が放出されていない待機状態）では、横向きになった「Ｖ」字状に形成されている。下側レバー１７Ｂは容器本体１１と一体化しているが、上側レバー１７Ａは、下側レバー１７Ｂとの係合部（基端部）のところにある回動軸を回動中心にして、容器本体１１や下側レバー１７Ｂに対して回動する。
【００２２】
そして、常態から、安全ピン１９を抜き取り、上側レバー１７Ａを下側に回動させることで、ホース１５の先端から消火剤１３が放出される（図６参照）。
【００２３】
消火器３として、蓄圧式や加圧式等を掲げることができる。また、消火剤１３として、粉末薬剤や不活性ガス（ハロン５１４、ＣＯ２、Ｎ２等）や泡消火薬剤を掲げることができる。
【００２４】
消火器操作具１が設置される消火器３のレバー１７（上側レバー１７Ａや下側レバー１７Ｂ）には、図４等で示すように、貫通孔２１（２１Ａ、２１Ｂ）が設けられている。
【００２５】
上側レバー１７Ａに設けられている貫通孔２１Ａには、消火器操作具１のレバー係合部５が係合する。下側レバー１７Ｂに設けられている貫通孔２１Ｂには、消火器操作具１の力伝達部９が貫通する。
【００２６】
消火器３は、標準品（市販品）であり、貫通孔２１は、たとえば、消火器３のレバー１７にドリル加工等の機械加工をすることで設けられる。
【００２７】
なお、貫通孔２１に代えて、切り欠きを設けてもよい。切り欠きは、消火器３のレバー１７に鋸加工やフライス加工等の機械加工をすることで設けられる。
【００２８】
消火器操作具１のレバー係合部５は、消火器３のレバー１７（上側レバー１７Ａ）に係合する。ペダル７には、人の足２３（図６参照）が発する力（踏み力）が付与される。すなわち、ペダル７の上に足２３をおいて体重をかけることで、ペダル７に踏み力が付与される。
【００２９】
力伝達部９は、上側レバー１７Ａに力を加えて上側レバー１７Ａを動かし消火器３から消火剤１３を放出するために、ペダル７に付与された力をレバー係合部５（レバー係合部５が係合している上側レバー１７Ａ）に伝達する。
【００３０】
さらに説明すると、レバー係合部５が上側レバー１７Ａに係合している状態（消火器操作具１が消火器に設置されている状態）で、ペダル７に力が加えられると、消火器操作具１が消火器３に対して下側に移動し、上側のレバー１７Ａが下側に回動し、消火器３のホース１５の先端から消火剤１３が放出される（図６参照）。
【００３１】
消火器のレバー１７は、上述したように、上側レバー１７Ａと下側レバー１７Ｂとで構成されており、レバー係合部５は、上側レバー１７Ａに係合するように構成されている。また、力伝達部９は、下側レバー１７Ｂにガイドされるように構成されている。
【００３２】
ペダル７は、図２で示すように、たたみ込み自在に構成されている。図１や図６で示すように、ペダル７がたたまれておらず（たたみ込まれておらず）展開している状態で、人の足２３の踏み力がペダル７に付与される。また、図１や図２で示すように、ペダル７がたたまれている状態（たたみ込まれている状態）での消火器３からのペダル７の突出量は、ペダル７がたたまれていない状態の消火器３からのペダル７の突出量よりも小さくなっている。
【００３３】
ここで、消火器３や消火器操作具１についてさらに詳しく説明する。
【００３４】
消火器３の上側レバー１７Ａに設けられている貫通孔２１Ａは、上側レバー１７Ａの長手方向では中間部に設けられており、上側レバー１７Ａの幅方向では中央部に設けられている。消火器３の下側レバー１７Ｂに設けられている貫通孔２１Ｂも、下側レバー１７Ｂの長手方向では中間部に設けられており、下側レバー１７Ｂの幅方向では中央部に設けられている。
【００３５】
また、図３（ａ）、図４（ａ）で示すように、平面視すると、上側レバー１７Ａの貫通孔２１Ａと下側レバー１７Ｂの貫通孔２１Ｂとはお互いが重なっているとともに、たとえば、容器本体１１の近傍で容器本体１１の外側に位置している。
【００３６】
消火器操作具１の力伝達部９は、図５等で示すように、細長い円柱状に形成されている。消火器操作具１が消火器３に設置されている状態では、力伝達部９の長手方向が上下方向になっており、力伝達部９の長手方向の一端部（上端部）には、オスネジ２５が形成されている。
【００３７】
ペダル７は、たとえば、矩形な平板状に形成されている。消火器操作具１が消火器３に設置されている状態では、ペダル７は、力伝達部９の長手方向の他端（下端）で、力伝達部９に係合している。そして、ペダル７が展開している状態では、ペダル７の厚さ方向が上下方向になっており、ペダル７が、力伝達部９から容器本体１１とは反対側（容器本体１１から離れる側）に突出している（図１参照）。
【００３８】
一方、ペダル７がたたまれている状態は、ペダル７が力伝達部９に係合部している部位のところにある回動中心軸を回動中心にして、展開している状態から９０°上方に回動しており、ペダル７の厚さ方向が水平方向になっており、ペダル７の力伝達部９からの突出量が小さくなっている（図２参照）。
【００３９】
レバー係合部５は、図５（ｃ）等で示すように、力伝達部９のオスネジ２５と半球状のカラー２７とワッシャ２９とナット３１とを備えて構成されている。
【００４０】
消火器操作具１が消火器３に設置されている状態では、レバー１７Ｂの貫通孔２１Ｂを力伝達部９が貫通して、力伝達部９の上端部が、上側レバー１７Ａから上側に突出している。この上側に突出している力伝達部９の部位に、半球状のカラー２７とワッシャ２９とナット３１とが下から上に向かってこの順に設置されている。
【００４１】
さらに説明すると、力伝達部９の上端部は、半球状のカラー２７とワッシャ２９とを貫通しており、ナット３１はオスネジ２５に螺合しており、上側レバー１７Ａに半球状のカラー２７が接しており、半球状のカラー２７にワッシャ２９が接しており、ワッシャ２９にナット３１が接している。
【００４２】
このようにして、レバー係合部５が上側レバー１７Ａに係合しており、力伝達部９が下側に移動することで、上側レバー１７Ａが下方に向かって回動する。
【００４３】
これにより、消火器操作具１が、消火器３に対して、容易に着脱自在に構成されている。また、レバー係合部５が、消火器３のレバー１７に対して着脱自在になっている。すなわち、ナット３１を回すことによって、力伝達部９をレバー１７の貫通孔２１やワッシャ２９やナット３１に通して、力伝達部９にナット３１を取り付け、また、力伝達部９をレバー１７の貫通孔２１やカラー２７やワッシャ２９やナット３１から抜くことで、消火器操作具１が、消火器３に対して容易に着脱自在になっている。
【００４４】
なお、半球状のカラー２７やワッシャ２９を用いない構成であってもよい。
【００４５】
また、上記説明では、力伝達部９の上端部が、ネジ等を用いて消火器３の上側レバー１７Ａに設置されるようになっているが、力伝達部９の上端部が、消火器３の上側レバー１７Ａに嵌り込むことで、上側レバー１７Ａに設置されるように構成されていてもよい。
【００４６】
たとえば、図８で示すように、力伝達部９の上端に環状の部位３３を設け、上側レバー１７Ａが環状の部位３３を貫通することで、力伝達部９の上端部が上側レバー１７Ａに係合するように構成されていてもよい。
【００４７】
また、消火器３に設置された消火器操作具１は、上述したように、常態（消火器から未だ消火剤が放出されていない待機状態）では、ペダル７がたたみ込まれているが、消火器３の安全ピン１９が抜かれることで、ペダル７のたたまれ状態が解除されてペダル７が展開するように構成されている。
【００４８】
たとえば、安全ピン１９が抜かれる前の状態では、安全ピン１９から延出している糸状のペダル支持部材（図示せず）でペダル７を吊って、ペダル７がたたまれた状態になっている。そして、安全ピン１９を抜くことで、たとえば、糸状のペダル支持部材に大きな張力がかかり、糸状のペダル支持部材が切れて、ペダル７が重力で下方に回動し、ペダル７のたたまれ状態が解除されてペダル７が展開する。なお、重力に代えてもしくは加えてバネ等の弾性部材によってペダル７が下方に回動するように構成されていてもよい。
【００４９】
なお、このように安全ピン１９と連動させることなく、消火器３を使用する者が別途手や足で、ペダル７のたたまれ状態を解除しペダル７を展開させる構成であってもよい。
【００５０】
また、すでに理解されるように、消火器操作具１が消火器３に設置されている状態であっても、消火器操作具１を用いることなく、消火器３のレバー１７の操作が可能なように構成されている。
【００５１】
すなわち、ペダル７の代わりに、手によって上側レバー１７Ａを直接操作し下方に下げることで、消火器３から消火剤１３を放出することができる。
【００５２】
ここで、消火器３への消火器操作具１の設置について説明する。
【００５３】
まず、レバー１７の貫通孔２１に、ペダル７が下側に位置し、オスネジ２５が上側に位置するようにして、消火器操作具１の力伝達部９を通す。
【００５４】
続いて、上側レバー１７Ａの上側に突出している力伝達部９に半球状のカラー２７とワッシャ２９とナット３１とを設置する。
【００５５】
これにより、消火器３への消火器操作具１の設置が終了するが、この状態では、図１に示す高さ寸法Ｈ１の値が、消火剤１３を放出するときの上側レバー１７Ａに移動距離の値（半球状のカラー２７やワッシャ２９やナット３１の下側への移動距離の値）とほぼ等しくなっている。高さ寸法Ｈ１は、上下方向での消火器３の下端とペダル７の下面との間の距離である。
【００５６】
なお、消火器３への消火器操作具１の設置が終了した時点では、図２で示すように、ペダル７がたたみ込まれている。
【００５７】
次に、消火剤１３の放出動作について説明する。
【００５８】
まず、安全ピン１９を抜くことで、ペダル７が展開する。続いて、ホース１５を火点に向ける。続いて、ペダル７を踏んで、消火剤１３を火点に向けて放出する（図６参照）。
【００５９】
消火器操作具１によれば、消火器３に設置されている消火器操作具１のペダル７を人が手よりも大きな力を容易に発生させることができる足２３で踏みつけることによって、消火器３のレバー１７が動くようになっているので、消火剤１３を放出するための消火器３のレバー１７の操作時にレバー１７が硬く感じることを防止することができる。
【００６０】
また、従来の消火器の操作（使用）において、地域の消火訓練時に握力の弱い方は、レバーを胸や鳩尾付近に押し当て、体重を利用して押すことを推奨している消防団もあるが、レバーを胸や鳩尾に押し当てた場合、放射部に顔を近づけることになり、薬剤の吸い込みや薬剤が眼に入るなどのおそれがある。
【００６１】
しかし、消火器操作具１によれば、消火器３のレバー１７に足２３を掛けるペダル７を取り付けることで放射部（ホース１５の先端）が顔から離れ、薬剤の吸い込みや眼に入るおそれがほぼ無くなる。また、ペダル７を使用することで安全に体重を掛けることが可能になり、握力が弱い人でも消火剤１３を楽に放射できる。
【００６２】
また、従来の消火器の操作では、片手で消火器のホースを持ち、もう一方の手で消火器のレバーを握ることで、消火器内部の薬剤を放出する方式なので、使用者は消火器を両手で操作可能な人に限られている。しかし、消火器３にペダル７を備えている消火器操作具１を取り付けることで、片手片足で消火器３を使用することが可能になる。
【００６３】
また、消火器操作具１によれば、レバー係合部５が消火器３のレバー１７に対して着脱自在に構成されているので、消火器３に対する消火器操作具１の移動が容易になり、消火器操作具１の設置を必要としている消火器３（たとえば、非力な女性のみで構成されている職場に設置されている消火器）を選んで、消火器操作具１を設置しなおすことができる。また、有効期限切れによる消火器３の交換時にも容易に消火器操作具１を設置しなおすことができる。
【００６４】
また、消火器操作具１によれば、レバー係合部５が上側レバー１７Ａに係合するように構成されており、力伝達部９が下側レバー１７Ｂにガイドされるように構成されているので、力伝達部９のブレを防止することができる。特に、ペダル７を踏み込んで上側レバー１７Ａを動かすときにおける力伝達部９のブレを防止することができる。
【００６５】
また、消火器操作具１によれば、ペダル７がたたみ込み自在に構成されているので、常態において消火器操作具１が邪魔になることが極力回避される。
【００６６】
また、消火器操作具１によれば、消火器３の安全ピン１９が抜かれることでペダル７が展開するように構成されているので、ペダル７のたたまれ状態を解除する操作を別途する必要がなくなり、消火器３における消火剤放出のための操作の段階を削減することができる。
【００６７】
また、消火器操作具１によれば、消火器操作具１が消火器３に設置されている状態でも、消火器３のレバー１７の操作が可能なように構成されているので、消火器操作具１が設置されている消火器３での消火剤１３の放出を、消火器操作具１について知識の無い人でも確実に行うことができる。
【００６８】
なお、消火器操作具１が、図１１で示すように、ガイド体３５を備えていてもよい。
【００６９】
ガイド体３５は、径の大きな円筒状の大径部３７と径の小さな円筒状の小径部３９とを備えて構成されている。大径部３７の内径は、容器本体１１の外径とほぼ等しくなっており、小径部３９の内径は、細長い円柱状の力伝達部９の外径よりも僅かに大きくなっている。
【００７０】
大径部３７と小径部３９とは、これらの中心軸の延伸方向がお互いに一致し、これらの外周の一部がお互いに接するようにして、お互いが一体化している。
【００７１】
また、容器本体１１に対して着脱するために、大径部３７は、図１１（ｂ）（ｃ）で示すように、２つの半円弧状の部位と構成されている。
【００７２】
ガイド体３５を消火器３に設置した状態では、大径部３７の内周が容器本体１１の外周に接触し、ガイド体３５と消火器３とが一体化しており、力伝達部９が小径部３９を貫通している。
【００７３】
次に変形例に係る消火器操作具１について説明する。
【００７４】
図７で示す消火器操作具１ａは、ペダル７の形状が図１等で示す消火器操作具１と異なっている点を除いて、図１等で示す消火器操作具１と同様に構成されている。
【００７５】
図７で示す消火器操作具１ａでは、平面視において、図７（ａ）で示すように、たたまれているペダル７が、容器本体１１に沿った円弧状に形成されている。ペダル７の円弧は、たとえば、容器本体１１の円と同心円の円弧であり、ペダル７の円弧の半径は、容器本体１１の円の半径よりも僅かに大きくなっている。
【００７６】
また、ペダル７が展開されている状態では、図７（ｃ）で示すように、ペダル７の円弧が下側に凸になっている。すなわち、円弧の中央が円弧の両端よりも下側に位置している。
【００７７】
図１２で示す消火器操作具１ｂは、レバー１７に貫通孔２１を設け、力伝達部９の上端部を半球状のカラー２７やワッシャ２９やナット３１を用いて、レバー１７に係合させている点は、図１等で示す消火器操作具１と同様に構成されている。
【００７８】
しかし、図１２で示す消火器操作具１ｂでは、容器本体１１の下部にペダル支持体４１が一体的に設けられている。ペダル支持体４１は、図１１で示したガイド体３５と同様にして、容器本体１１に対して着脱自在に構成されている。
【００７９】
ペダル７は、一方の端部（基端部）がペダル支持体４１に回動自在に係合しており、ペダル７の中間部には、力伝達部９の下端が回動自在に係合している。そして、てこの原理により、踏み力を増幅して上側レバー１７Ａに伝達することができる。
【００８０】
図９で示す消火器操作具１ｃは、消火器３が設置される消火器設置台（消火器設置具）で構成されている。そして、ペダル（力付与部）７は、消火器３が載置される消火器載置台で構成されており、力伝達部９は、消火器載置台７から上側に所定の長さ延出している棒状の支柱で構成されている。
【００８１】
また、レバー係合部５は、突出部で構成されている。突出部５は、支柱９の上下方向の中間部で支柱９に一体的に設けられており、支柱９から横方向に突出している。突出部５には、上側レバー１７Ａが入り込む凹部４３が設けられている。支柱９の上端部には、消火器３の存在を示す表示部４５が設けられている。
【００８２】
図９で示す消火器操作具１ｃを用いて消火剤は１３を放出するときには、図１０で示すように、消火器載置台７を下にして表示部４５を上にし、突出部５の凹部４３内に上側レバー１７Ａを挿入し、消火器載置台７を踏み込んで、上側レバー１７Ａを下方に回動させる。
【００８３】
図９で示す消火器操作具１ｃによれば、消火器操作具１ｃが消火器設置台で構成されているので、消火器操作具１ｃを別途備える必要がなくなるとともに、消火器３への消火器操作具１ｃの着脱が一層容易になる。
【００８４】
図１３で示す消火器操作具１ｄは、消火器３のレバー１７（上側レバー１７Ａ）に係合するレバー係合部５と、人の手が発する力が付与される力付与部７と、力伝達部９とを備えて構成されている。力伝達部９は、消火剤１３を放出するときの上側レバー１７Ａの操作力を軽減するために、てこの原理により、力付与部７で付与された力を増幅して、レバー係合部５（レバー係合部５が係合している上側レバー１７Ａ）に伝達する。
【００８５】
さらに説明すると、図１３で示す消火器操作具１ｄは、上側レバー１７Ａと同じような形態になっており、上側レバー１７Ａの長手方向で上側レバー１７Ａに対して移動自在なように、上側レバー１７Ａに設置されている。
【００８６】
そして、常態では、上側レバー１７Ａに重なっており（図１３（ａ）参照）、消火剤１３を放出すべく上側レバー１７Ａを回動させるときには、上側レバー１７Ａが延長されるような態様で、上側レバー１７Ａから延出するようになっている（図１３（ｂ）参照）。
【００８７】
図１４で示す消火器操作具１ｅも、図１３で示す消火器操作具１ｄと同様にして、レバー係合部５と力付与部７と力伝達部９とを備えて構成されている。
【００８８】
さらに説明すると、図１４で示す消火器操作具１ｅは、上側レバー１７Ａと同じような形態になっており、上側レバー１７Ａに対して回動自在なように、上側レバー１７Ａに設置されている。
【００８９】
そして、常態では、上側レバー１７Ａに重なっており（図１４（ａ）参照）、消火剤１３を放出すべく上側レバー１７Ａを回動させるときには、上側レバー１７Ａが延長されるような態様で、上側レバー１７Ａに対して回動し上側レバー１７Ａから延出するようになっている（図１４（ｂ）参照）。
【符号の説明】
【００９０】
１、１ａ、１ｂ、１ｃ、１ｄ、１ｅ  消火器操作具
３  消火器
５  レバー係合部
７  力付与部
９  力伝達部
１７  レバー
１７Ａ  上側レバー
１７Ｂ  下側レバー
１９  安全栓
２１  貫通孔
２３  足
４５  表示部
【図１】
2020018352.tif 000003
【図２】
2020018352.tif 000004
【図３】
2020018352.tif 000005
【図４】
2020018352.tif 000006
【図５】
2020018352.tif 000007
【図６】
2020018352.tif 000008
【図７】
2020018352.tif 000009
【図８】
2020018352.tif 000010
【図９】
2020018352.tif 000011
【図１０】
2020018352.tif 000012
【図１１】
2020018352.tif 000013
【図１２】
2020018352.tif 000014
【図１３】
2020018352.tif 000015
【図１４】
2020018352.tif 000016